(57)【要約】【課題】シームレス切替器への電源供給が停止しても、シームレス切替器で信号が途切れることなく、放送を継続し得るデジタル放送信号切替装置を提供する。【解決手段】シームレス切替回路１１をバイパスさせるバイパス経路１６を設け、入力切替器１２により入力される第１系のＴＳを電源部１１１の電源オン時にシームレス切替回路１１へ、電源オフ時にバイパス経路１６へ導出し、出力切替器１４により電源部１１１の電源オン時にシームレス切替回路１１の出力ＴＳを送出信号として出力端子１７へ導出し、電源部１１１の電源オフ時にバイパス経路１６を通過した第１系のＴＳを送出信号として出力端子１７へ導出するようにしている。【選択図】      図１
2008072509.tif 000002
【特許請求の範囲】
【請求項１】
複数系統のデジタル放送信号をシームレスに切り替えて送出するシームレス切替器と、
前記複数系統のデジタル放送信号のうち１つを、前記シームレス切替器をバイパスさせるバイパス経路と、
前記シームレス切替器の切替動作に必要な電源を供給する電源部がオンのときに、前記複数系統のデジタル放送信号を前記シームレス切替器へ導出し、前記電源部がオフのときに、前記複数系統のデジタル放送信号のうち１つを前記バイパス経路に導出する入力切替手段と、
前記電源部がオンのときに、前記シームレス切替器の出力信号を送出信号として出力し、前記電源部がオフのときに、前記バイパス経路を通過したデジタル放送信号を送出信号として出力する出力切替手段とを具備したことを特徴とするデジタル放送信号切替装置。
【請求項２】
前記シームレス切替器は、前記電源部とは別に、切替動作に必要な電源を供給するバックアップ電源部を備えることを特徴とする請求項１記載のデジタル放送信号切替装置。
【発明の詳細な説明】
【技術分野】
【０００１】
この発明は、例えば放送局で使用され、複数系統のデジタル放送信号をシームレスに切り替えるデジタル放送信号切替装置に関する。
【背景技術】
【０００２】
従来より、放送送出設備にあっては、機器の故障対策及び保守のために、現用・予備の二重化設備とすることが一般的となっている。この二重化設備において、現用・予備の切替時にＴＳ（Transport Stream）が欠落などして、テレビジョン受像機で映像や音声に乱れが生じないようにするために、シームレスＴＳ切替器が使用される。
【０００３】
上記シームレスＴＳ切替器は、切り替えを行う際に、出力信号にデータの損失がないか、データの損失を小さくするために、ＴＳの処理回路が必要となる。このため、シームレスＴＳ切替器には、回路を動作するための電源が必要であるが、その電源の供給が停止してしまうと、シームレスＴＳ切替器の出力信号が止まってしまうことになる。
【０００４】
なお、従来では、シームレスＴＳ切替器とは別に、緊急用自動番組制御装置を設けて、シームレスＴＳ切替器への電源供給が停止しても、緊急用自動番組制御装置からの緊急番組だけは放送できるようにした手法も提案されている（例えば、特許文献１）。
【特許文献１】特開平９−１５３８７２号公報。
【発明の開示】
【発明が解決しようとする課題】
【０００５】
ところで、上記手法では、緊急用自動番組制御装置を設ける分、設備コストがかかるとともに、視聴中の番組が別の緊急番組に切り替えられることになり視聴者に対し違和感を与えることになる。
【０００６】
従って、上記放送設備においては、冗長系を持つことができないシームレスＴＳ切替器の電源が落ちてしまうと、そこでＴＳが途切れ放送を継続できなくなる。
【０００７】
そこで、この発明の目的は、シームレス切替器への電源供給が停止しても、シームレス切替器で信号が途切れることなく、放送を継続し得るデジタル放送信号切替装置を提供することにある。
【課題を解決するための手段】
【０００８】
上記目的を達成するために、この発明に係るデジタル放送信号切替装置は、複数系統のデジタル放送信号をシームレスに切り替えて送出するシームレス切替器と、複数系統のデジタル放送信号のうち１つを、シームレス切替器をバイパスさせるバイパス経路と、シームレス切替器の切替動作に必要な電源を供給する電源部がオンのときに、複数系統のデジタル放送信号をシームレス切替器へ導出し、電源部がオフのときに、複数系統のデジタル放送信号のうち１つをバイパス経路に導出する入力切替手段と、電源部がオンのときに、シームレス切替器の出力信号を送出信号として出力し、電源部がオフのときに、バイパス経路を通過したデジタル放送信号を送出信号として出力する出力切替手段とを備えるようにしたものである。
【０００９】
この構成によれば、シームレス切替器をバイパスさせるバイパス経路を用いて、入力切替器により入力される複数系統のデジタル放送信号を電源オン時にシームレス切替器へ、電源オフ時にバイパス経路へ導出し、出力切替器により電源オン時にシームレス切替器の出力信号を送出信号として導出し、電源オフ時にバイパス経路を通過したデジタル放送信号を送出信号として導出するようにしている。
【００１０】
従って、故障等によりシームレス切替器に電源が供給されない場合であっても、デジタル放送信号の伝送路を確保することができ、これによりシームレス切替器で信号が途切れることなく、放送を継続させることができる。
【００１１】
シームレス切替器は、電源部とは別に、切替動作に必要な電源を供給するバックアップ電源部を備えることを特徴とする。
【００１２】
この構成によれば、万一電源部が故障した場合に、バックアップ電源部による電源を使用することができ、この点でもシームレス切替器で信号が途切れることなく、放送を継続させることができる。
【発明の効果】
【００１３】
以上詳述したようにこの発明によれば、シームレス切替器への電源供給が停止しても、シームレス切替器で信号が途切れることなく、放送を継続し得るデジタル放送信号切替装置を提供することができる。
【発明を実施するための最良の形態】
【００１４】
以下、この発明の実施形態について図面を参照して詳細に説明する。
【００１５】
図１は、この発明の一実施形態に係わるデジタル放送信号切替装置の構成を示すブロック図である。図１において、符号１１はシームレス切替回路で、複数チャンネル（系統）のデジタル放送信号としてのＴＳ（Transport Stream）をシームレスに切り替えるものである。なお、ここでは説明を簡単にするため、入力チャンネル数を２チャンネルとし、出力チャンネルを１チャンネルとする。
【００１６】
この実施形態では、シームレス切替回路１１の第１入力チャンネルに入力切替器１２を接続し、第２入力チャンネルに例えば予備系としての第２系のＴＳを入力するための入力端子１３を接続し、シームレス切替回路１１の出力チャンネルに出力切替器１４を接続している。
【００１７】
入力切替器１２は、入力端子１５を介して入力された例えば現用系としての第１系のＴＳを、シームレス切替回路１１の電源部１１１がオンの時、シームレス切替回路１１に導出し（ポート１−２）、シームレス切替回路１１の電源部１１１がオフの時、図２に示すように、シームレス切替回路１１をバイパスするバイパス経路１６に導出する（ポート１−３）。
【００１８】
出力切替器１４は、シームレス切替回路１１の電源部１１１がオンの時、シームレス切替回路１１の出力ＴＳを出力端子１７に導出し（ポート１−２）、シームレス切替回路１１の電源部１１１がオフの時、バイパス経路１６を通過したＴＳを出力端子１７に導出する（ポート１−３）。すると、出力端子１７に供給されたＴＳは、送出ＴＳとして放送サービスエリアに送出されることになる。
【００１９】
次に、上記構成における動作について説明する。  
すなわち、シームレス切替回路１１の電源部１１１がオンになると、入力切替器１２及び出力切替器１４の接続はポート１−２となり、シームレス切替回路１１に第１系及び第２系のＴＳが入力され、どちらか１つのＴＳが選択された後、出力端子１７へ出力される。
【００２０】
一方、シームレス切替回路１１の電源部１１１がオフになると、入力切替器１２及び出力切替器１４の接続はポート１−３となり、第１系のＴＳがバイパス経路１６を通って、出力端子１７へ出力される。この時の経路には電源が必要なアクティブ回路が含まれないため、シームレス切替回路１１の電源部１１１がオフであっても、第１系のＴＳは出力端子１７へ出力されることになる。
【００２１】
以上のように上記実施形態では、シームレス切替回路１１をバイパスさせるバイパス経路１６を設け、入力切替器１２により入力される第１系のＴＳを電源部１１１の電源オン時にシームレス切替回路１１へ、電源オフ時にバイパス経路１６へ導出し、出力切替器１４により電源部１１１の電源オン時にシームレス切替回路１１の出力ＴＳを送出信号として出力端子１７へ導出し、電源部１１１の電源オフ時にバイパス経路１６を通過した第１系のＴＳを送出信号として出力端子１７へ導出するようにしている。
【００２２】
従って、故障等によりシームレス切替回路１１の電源がオフになった場合であっても、ＴＳの伝送路を確保することができ、これによりシームレス切替回路１１でＴＳが途切れることなく、放送を継続させることができる。
【００２３】
なお、放送送出設備では、システムに組み込まれる装置を複数設けて、機器が故障しても放送を継続できるように冗長系を設けている。ある機器が故障した場合には、バックアップ側の装置を使用するように系統切替を行うが、その切替を行う切替器は冗長系を持たせることができない。
【００２４】
そのため、切替器の故障などで電源が供給されなかったときに、ＴＳを通過させることで、放送送出設備における問題点を解決できる。
【００２５】
なお、この発明は上記実施形態の構成に限定されるものではない。例えば、図３に示すように、シームレス切替回路１１に電源部１１１とは別に、バックアップ電源部１１２を設けるようにしてもよい。なお、図３において、図１と同一部分には同一符号を付して示す。
【００２６】
すなわち、図３に示す装置では、万一電源部１１１が故障しても、バックアップ電源部１１２を使用してシームレス切替回路１１の電源をオン・オフするようにしている。この構成であっても、シームレス切替回路１１でＴＳが途切れることなく、放送を継続させることができる。
【００２７】
その他、装置構成、切替手順等についても、この発明の要旨を逸脱しない範囲で種々変形して実施できる。
【図面の簡単な説明】
【００２８】
【図１】この発明の一実施形態に係わるデジタル放送信号切替装置の構成を示し、かつ電源オフ時の状態を説明するために示すブロック図。
【図２】同実施形態において、電源オフ時の状態を説明するために示すブロック図。
【図３】この発明の他の実施形態に係わるデジタル放送信号切替装置の構成を示すブロック図。
【符号の説明】
【００２９】
１１…シームレス切替回路、１２…入力切替器、１３，１５…入力端子、１４…出力切替器、１６…バイパス経路、１７…出力端子、１１１…電源部、１１２…バックアップ電源部。
【図１】
2008072509.tif 000003
【図２】
2008072509.tif 000004
【図３】
2008072509.tif 000005